(57)【特許請求の範囲】
【請求項１】
複数のマクロ基地局のパラメータと、該マクロ基地局の無線通信エリア内に配置され該マクロ基地局よりも無線通信エリアが小さい複数の小型基地局のパラメータとを管理する通信管理システムであって、
マクロ基地局の提供元が互いに異なる複数の基地局グループ毎に設けられ、該複数の基地局グループ毎に該基地局グループに属する複数のマクロ基地局のパラメータを管理する複数のマクロ基地局専用の独立管理サーバと、
小型基地局の提供元にかかわらず前記複数の小型基地局すべてが属する基地局グループに設けられ、該基地局グループに属する複数の小型基地局のパラメータを管理する小型基地局用専用の独立管理サーバと、
前記複数のマクロ基地局専用の独立管理サーバ及び前記小型基地局用専用の独立管理サーバそれぞれと通信可能に構成され、前記複数のマクロ基地局専用の独立管理サーバ及び前記小型基地局用専用の独立管理サーバを介して、前記複数のマクロ基地局のパラメータと前記複数の小型基地局のパラメータとを集中管理する統合管理サーバと、を備え、
前記統合管理サーバは、
前記複数のマクロ基地局及び前記複数の小型基地局それぞれに設定可能なパラメータの値を決定するパラメータ値決定手段と、
前記パラメータ値決定手段で決定したパラメータの値を、パラメータ設定対象の基地局が属する基地局グループの独立管理サーバに送信する送信手段と、を有し、
前記複数のマクロ基地局専用の独立管理サーバはそれぞれ、前記統合管理サーバから前記パラメータ設定対象のマクロ基地局に対するパラメータの値を受信し、該パラメータの値に基づいて、該パラメータ設定対象のマクロ基地局に対して該パラメータの設定を指示し、
前記小型基地局専用の独立管理サーバは、前記統合管理サーバから前記パラメータ設定対象の小型基地局に対するパラメータの値を受信し、該パラメータの値に基づいて、該パラメータ設定対象の小型基地局に対して該パラメータの設定を指示することを特徴とする通信管理システム。
【請求項２】
請求項１の通信管理システムにおいて、
前記統合管理サーバは、前記複数の基地局グループに属する前記複数のマクロ基地局及び前記複数の小型基地局のすべて又は一部の基地局の情報を取得する情報取得手段を更に備え、
前記統合管理サーバのパラメータ値決定手段は、前記情報取得手段で取得した基地局の情報に基づいて、該基地局に設定するパラメータの最適値を決定することを特徴とする通信管理システム。
【請求項３】
請求項１又は２の通信管理システムにおいて、
前記統合管理サーバで管理するパラメータは、隣接する複数の基地局間で重複しないように互いに異なる値が設定されるパラメータであることを特徴とする通信管理システム。
【請求項４】
請求項３の通信管理システムにおいて、
前記統合管理サーバのパラメータ値決定手段は、前記複数の基地局グループそれぞれに属する前記複数のマクロ基地局及び前記複数の小型基地局に割り当て可能なパラメータの候補値の範囲を、前記複数のマクロ基地局専用の独立管理サーバ及び前記小型基地局専用の独立管理サーバの間で重複しないように決定し、
前記統合管理サーバの送信手段は、前記複数のマクロ基地局専用の独立管理サーバ及び前記小型基地局専用の独立管理サーバに前記パラメータの候補値の範囲を送信し、
前記複数のマクロ基地局専用の独立管理サーバはそれぞれ、前記統合管理サーバから受信した前記パラメータの候補値の範囲に基づいて、該マクロ基地局専用の独立管理サーバの配下のマクロ基地局に対して該パラメータの設定を指示し、
前記小型基地局専用の独立管理サーバは、前記統合管理サーバから受信した前記パラメータの候補値の範囲に基づいて、該小型基地局専用の独立管理サーバの配下の小型基地局に対して該パラメータの設定を指示することを特徴とする通信管理システム。
【請求項５】
請求項１又は２の通信管理システムにおいて、
前記統合管理サーバで管理するパラメータは、隣接する複数の基地局間で同じ値が設定されるパラメータであることを特徴とする通信管理システム。
【請求項６】
請求項１乃至５のいずれかの通信管理システムにおいて、
前記パラメータは、前記複数のマクロ基地局及び前記複数の小型基地局に割り当てられる基地局識別番号であることを特徴とする通信管理システム。
【請求項７】
請求項１又は２の通信管理システムにおいて、
前記統合管理サーバの情報取得手段は、前記複数のマクロ基地局及び前記複数の小型基地局それぞれが管理する情報を、前記複数のマクロ基地局専用の独立管理サーバ及び前記小型基地局専用の独立管理サーバを介して取得し、
前記統合管理サーバのパラメータ値決定手段は、前記複数のマクロ基地局及び前記複数の小型基地局それぞれが管理する情報に基づき、該複数のマクロ基地局及び該複数の小型基地局それぞれに設定するパラメータの値を決定することを特徴とする通信管理システム。
【請求項８】
請求項７の通信管理システムにおいて、
前記複数のマクロ基地局及び前記複数の小型基地局それぞれが管理する情報は、ハンドオーバー頻度の情報であり、
前記パラメータは、ハンドオーバーオフセットパラメータであることを特徴とする通信管理システム。
【発明の詳細な説明】
【技術分野】
【０００１】
本発明は、複数の基地局のパラメータを集中管理する通信管理システム及び統合管理サーバに関するものである。
【背景技術】
【０００２】
従来、移動体通信における基地局の設置や運用の負荷を軽減するために、基地局の設置及び運用を自動化するＳＯＮ（Self Organizing Network）と呼ばれる機能を用いる通信管理システムが提案されている（例えば、特許文献１、２参照）。この通信管理システムでは、複数の基地局のパラメータを管理する管理サーバ（以下、「ＳＯＮサーバ」という。）がコアネットワーク側に設置され、各基地局のパラメータの設定、最適化、修復などの管理を行うことができる。
【０００３】
特に、近年のトラフィック急増に対応すべく、従来のマクロ基地局やピコ基地局よりさらにセル半径が小さい小型基地局の需要が高まっている。小型基地局はセル半径が小さいため多局展開が必要となるため、基地局の設置や運用の負荷が増大するという問題がある。この問題を解消するための技術としても上記ＳＯＮが有効と考えられる。
【発明の概要】
【発明が解決しようとする課題】
【０００４】
しかしながら、上記ＳＯＮでパラメータの管理対象となっている基地局は複数種類の提供元（ベンダー）から提供され、基地局の最適化の方法や、基地局にアクセスするときのインターフェースの仕様等は提供元ごとに独自仕様である。そのため、基地局の提供元ごとに独立したＳＯＮサーバが設けられている。各ＳＯＮサーバは、そのＳＯＮサーバの配下にある同一提供元の基地局についてのみパラメータの管理を行うことができるが、提供元が異なる他の基地局についてはパラメータの管理を行うことができない。したがって、従来のＳＯＮサーバを備えた通信管理システムでは、提供元が互いに異なる複数の基地局のセルが隣接している境界エリアについては、その複数の基地局それぞれのパラメータの管理を、複数のＳＯＮサーバが互いに独立に行うことになり、各基地局についてパラメータの設定、最適化、修復等の管理を適切に行うことができない。例えば、上記複数の基地局のセルが隣接している境界エリアに移動機（移動局）が在圏しているときに、各基地局のセル識別パラメータ（ＰＣＩ：Physical Cell Identify）として重複した値が設定される場合がある。このようにセル識別パラメータの設定が不適切であると、移動機は、複数の基地局のセルのどちらに属しているかを判断することができない。
【０００５】
本発明は以上の問題点に鑑みなされたものであり、その目的は、提供元が互いに異なる複数の基地局のパラメータを適切に管理することができる通信管理システム及び統合管理サーバを提供することである。
【課題を解決するための手段】
【０００６】
本発明は、基地局の提供元が互いに異なる複数の基地局グループ毎に、該基地局グループに属する複数の基地局のパラメータを管理する独立管理サーバを備えた通信管理システムであって、前記複数の独立管理サーバそれぞれと通信可能な統合管理サーバを備え、前記統合管理サーバは、前記複数の基地局グループに属する複数の基地局それぞれに設定可能なパラメータの値を決定するパラメータ値決定手段と、前記パラメータ値決定手段で決定したパラメータの値を、パラメータ設定対象の基地局が属する基地局グループの独立管理サーバに送信する送信手段と、を有し、前独立管理サーバは、前記統合管理サーバから受信した前記パラメータの値に基づいて、前記パラメータ設定対象の基地局に対して該パラメータの設定を指示することを特徴とするものである。
この通信管理システムにおいて、複数の独立管理サーバと通信可能な統合管理サーバは、複数の基地局グループに属する複数の基地局それぞれに設定可能なパラメータの値を決定する。これにより、複数の独立管理サーバの配下にある複数の基地局の提供元が互いに異なる場合であっても、統合管理サーバにより、その複数の基地局に設定されるパラメータを調整して集中管理することができる。そして、統合管理サーバは、決定したパラメータの値を、パラメータ設定対象の基地局が属する基地局グループの独立管理サーバに送信する。独立管理サーバは、統合管理サーバから受信したパラメータの値に基づいて、前記パラメータ設定対象の基地局に対してパラメータの設定を指示することにより、その基地局では、前記統合管理サーバによって集中管理されたパラメータの値が設定される。以上のように、複数の独立管理サーバの配下にある複数の基地局の提供元が互いに異なる場合であっても、それら複数の基地局に設定されるパラメータを調整して集中管理することができるとともに、その統合管理サーバによって集中管理されたパラメータの値が基地局に設定される。従って、提供元が互いに異なる複数の基地局のパラメータを適切に管理することができる。
また、前記通信管理システムにおいて、前記統合管理サーバは、前記複数の基地局グループに属するすべて又は一部の基地局の情報を取得する情報取得手段を更に備え、前記統合管理サーバのパラメータ値決定手段は、前記情報取得手段で取得した基地局の情報に基づいて、該基地局に設定するパラメータの最適値を決定してもよい。この通信管理システムでは、複数の基地局グループに属する複数の基地局の状態を集中的に把握するとともに、その基地局の状態に応じて決定したパラメータの最適値を基地局に設定することができる。
また、前記通信管理システムにおいて、前記複数の独立管理サーバはそれぞれ、マクロ基地局の提供元が互いに異なる複数の基地局グループ毎に設けられ、該マクロ基地局のパラメータと、該マクロ基地局のセルに在圏する小型基地局のパラメータとを管理するものであってもよい。この通信管理システムでは、提供元が互いに異なる複数のマクロ基地局及び小型基地局のパラメータを適切に管理することができる。特に、本通信管理システムでは、マクロ基地局のセルに在圏する小型基地局のパラメータの管理を、そのマクロ基地局が属する基地局グループの独立管理サーバで管理するので、小型基地局の提供元ごとに基地局グループを設定したり独立管理サーバを設けたりする必要がない。
また、前記通信管理システムにおいて、前記複数の独立管理サーバは、マクロ基地局の提供元が互いに異なる複数の基地局グループ毎に設けられ、該マクロ基地局のパラメータを管理する複数のマクロ基地局専用の独立管理サーバと、複数の小型基地局のみが属する基地局グループに設けられ、該小型基地局のパラメータを管理する小型基地局用専用の独立管理サーバと、を含んでもよい。この通信管理システムでは、提供元が互いに異なる複数のマクロ基地局及び小型基地局のパラメータを適切に管理することができる。特に、本通信管理システムでは、複数の小型基地局のみが属する基地局グループに小型基地局用専用の独立管理サーバを設けているので、小型基地局のパラメータの集中管理が容易になるとともに、小型基地局の提供元ごとに基地局グループを設定したり独立管理サーバを設ける必要がない。
また、前記通信管理システムにおいて、前記統合管理サーバで管理するパラメータは、隣接する複数の基地局間で重複しないように互いに異なる値が設定されるパラメータであってもよい。この通信管理システムでは、提供元が互いに異なる複数の基地局が隣接する場合に、その基地局間で値が重複しないように各基地局におけるパラメータを設定することができる。
また、前記通信管理システムにおいて、前記統合管理サーバのパラメータ値決定手段は、前記複数の基地局グループそれぞれに属する複数の基地局に割り当て可能なパラメータの候補値の範囲を、各独立管理サーバ間で重複しないように決定し、前記統合管理サーバの送信手段は、前記複数の基地局グループそれぞれの複数の独立管理サーバに前記パラメータの候補値の範囲を送信し、前記複数の独立管理サーバはそれぞれ、前記統合管理サーバから受信した前記パラメータの候補値の範囲に基づいて、該独立管理サーバの配下の基地局に対して該パラメータの設定を指示してもよい。この通信管理システムでは、提供元が互いに異なる複数の基地局が隣接する場合に、その基地局間でパラメータの値が重複しないようにすることができる。
また、前記通信管理システムにおいて、前記統合管理サーバで管理するパラメータは、隣接する複数の基地局間で同じ値が設定されるパラメータであってもよい。この通信管理システムでは、提供元が互いに異なる複数の基地局が隣接する場合に、その基地局間で値が同じになるようにパラメータを設定することができる。
また、前記通信管理システムにおいて、前記統合管理サーバの情報取得手段は、基地局が管理する情報を、前記独立管理サーバを介して取得し、前記統合管理サーバのパラメータ値決定手段は、前記基地局が管理する情報に基づき、前記基地局に設定するパラメータの値を決定し、前記統合管理サーバの送信手段は、前記基地局が属する独立管理サーバに、前記パラメータ値決定手段で決定したパラメータの値を送信し、前記独立管理サーバは、前記統合管理サーバから受信した前記パラメータの値に基づいて、前記基地局に対して該パラメータの設定を指示してもよい。この通信管理システムでは、各基地局が管理する情報に基づいて、各基地局におけるパラメータを適切な値に設定することができる。
【０００７】
本発明に係る統合管理サーバは、基地局の提供元が互いに異なる複数の基地局グループ毎に該基地局グループに属する複数の基地局のパラメータを管理する独立管理サーバと通信可能な統合管理サーバであって、前記複数の基地局グループに属する複数の基地局それぞれに設定可能なパラメータの値を決定するパラメータ値決定手段と、前記パラメータ値決定手段で決定したパラメータの値を、パラメータ設定対象の基地局が属する基地局グループの独立管理サーバに送信する送信手段と、を備えたことを特徴とするものである。
この統合管理サーバでは、複数の基地局グループに属する複数の基地局それぞれに設定可能なパラメータの値を決定する。これにより、複数の独立管理サーバの配下にある複数の基地局の提供元が互いに異なる場合であっても、その複数の基地局に設定されるパラメータを調整して集中管理することができる。そして、上記決定したパラメータの値を、パラメータ設定対象の基地局が属する基地局グループの独立管理サーバに送信する。独立管理サーバは、統合管理サーバから受信したパラメータの値に基づいて、前記パラメータ設定対象の基地局に対してパラメータの設定を指示することにより、その基地局では、前記統合管理サーバによって集中管理されたパラメータの値を設定することができる。以上のように、複数の独立管理サーバの配下にある複数の基地局の提供元が互いに異なる場合であっても、それら複数の基地局に設定されるパラメータを調整して集中管理することができるとともに、統合管理サーバによって集中管理されたパラメータの値が基地局に設定される。従って、提供元が互いに異なる複数の基地局のパラメータを適切に管理することができる。
また、前記統合管理サーバにおいて、前記複数の基地局グループに属するすべて又は一部の基地局の情報を取得する情報取得手段を更に備え、前記パラメータ値決定手段は、前記情報取得手段で取得した基地局の情報に基づいて、該基地局に設定するパラメータの最適値を決定してもよい。この統合管理サーバでは、複数の基地局グループに属する複数の基地局の状態を集中的に把握するとともに、その基地局の状態に応じて決定したパラメータの最適値を基地局に設定することができる。
また、前記統合管理サーバにおいて、前記複数の独立管理サーバはそれぞれ、マクロ基地局の提供元が互いに異なる複数の基地局グループ毎に設けられ、該マクロ基地局のパラメータと、該マクロ基地局のセルに在圏する小型基地局のパラメータとを管理するものであってもよい。この統合管理サーバでは、提供元が互いに異なる複数のマクロ基地局及び小型基地局のパラメータを適切に管理することができる。特に、本統合管理サーバでは、マクロ基地局のセルに在圏する小型基地局のパラメータの管理を、そのマクロ基地局が属する基地局グループの独立管理サーバで管理するので、小型基地局の提供元ごとに基地局グループを設定したり独立管理サーバを設けたりする必要がない。
また、前記統合管理サーバにおいて、前記複数の独立管理サーバは、マクロ基地局の提供元が互いに異なる複数の基地局グループ毎に設けられ、該マクロ基地局のパラメータを管理する複数のマクロ基地局専用の独立管理サーバと、複数の小型基地局のみが属する基地局グループに設けられ、該小型基地局のパラメータを管理する小型基地局用専用の独立管理サーバと、を含んでもよい。この統合管理サーバでは、提供元が互いに異なる複数のマクロ基地局及び小型基地局のパラメータを適切に管理することができる。特に、本統合管理サーバでは、複数の小型基地局のみが属する基地局グループに小型基地局用専用の独立管理サーバを設けているので、小型基地局のパラメータの集中管理が容易になるとともに、小型基地局の提供元ごとに基地局グループを設定したり独立管理サーバを設ける必要がない。
また、前記統合管理サーバにおいて、当該統合管理サーバで管理するパラメータは、隣接する複数の基地局間で重複しないように互いに異なる値が設定されるパラメータであってもよい。この統合管理サーバでは、提供元が互いに異なる複数の基地局が隣接する場合に、その基地局間で値が重複しないように各基地局におけるパラメータを設定することができる。
また、前記統合管理サーバにおいて、前記パラメータ値決定手段は、前記複数の基地局グループそれぞれに属する複数の基地局に割り当て可能なパラメータの候補値の範囲を、各独立管理サーバ間で重複しないように決定し、前記送信手段は、前記複数の基地局グループそれぞれの複数の独立管理サーバに前記パラメータの候補値の範囲を送信してもよい。この場合、前記複数の独立管理サーバはそれぞれ、前記統合管理サーバから受信した前記パラメータの候補値の範囲に基づいて、該独立管理サーバの配下の基地局に対して該パラメータの設定を指示することができる。この統合管理サーバでは、提供元が互いに異なる複数の基地局が隣接する場合に、その基地局間でパラメータの値が重複しないようにすることができる。
また、前記統合管理サーバにおいて、当該統合管理サーバで管理するパラメータは、隣接する複数の基地局間で同じ値が設定されるパラメータであってもよい。この統合管理サーバでは、提供元が互いに異なる複数の基地局が隣接する場合に、その基地局間で値が同じになるようにパラメータを設定することができる。
また、前記統合管理サーバにおいて、前記情報取得手段は、基地局が管理する情報を、前記独立管理サーバを介して取得し、前記パラメータ値決定手段は、前記基地局が管理する情報に基づき、前記基地局に設定するパラメータの値を決定し、前記送信手段は、前記基地局が属する独立管理サーバに、前記パラメータ値決定手段で決定したパラメータの値を送信してもよい。この場合、前記独立管理サーバは、前記統合管理サーバから受信した前記パラメータの値に基づいて、前記基地局に対して該パラメータの設定を指示することができる。この統合管理サーバでは、各基地局が管理する情報に基づいて、各基地局におけるパラメータを適切な値に設定することができる。
【発明の効果】
【０００８】
本発明によれば、提供元が互いに異なる複数の基地局のパラメータを適切に管理することができる。
【図面の簡単な説明】
【０００９】
【図１】本発明の一実施形態に係る通信管理システムの全体構成例を示す説明図。
【図２】（ａ）、（ｂ）及び（ｃ）はそれぞれ、同通信管理システムにおける統合ＳＯＮサーバ、独立ＳＯＮサーバ及び基地局の概略構成例を示す機能ブロック図である。
【図３】同通信管理システムにおけるパラメータ管理の一例を示すフローチャート。
【図４】本発明の他の実施形態に係る通信管理システムの全体構成例を示す説明図。
【図５】（ａ）、（ｂ）及び（ｃ）はそれぞれ、同通信管理システムにおける統合ＳＯＮサーバ、独立ＳＯＮサーバ及び基地局の概略構成例を示す機能ブロック図である。
【図６】同通信管理システムにおけるパラメータ管理の一例を示すフローチャート。
【図７】本発明の更に他の実施形態に係る通信管理システムの全体構成例を示す説明図。
【図８】（ａ）、（ｂ）及び（ｃ）はそれぞれ、同通信管理システムにおける統合ＳＯＮサーバ、独立ＳＯＮサーバ及び基地局の概略構成例を示す機能ブロック図である。
【図９】同通信管理システムにおけるパラメータ管理の一例を示すフローチャート。
【発明を実施するための形態】
【００１０】
以下、図面を参照して本発明の実施形態について説明する。
〔実施形態１〕
図１は、本発明の一実施形態に係る通信管理システムの全体構成例を示す説明図。本実施形態の通信管理システムは、マクロ基地局３０Ａ，３０Ｂ，３０Ｃの提供元（以下「ベンダー」という。）Ａ，Ｂ，Ｃが互いに異なる複数の基地局グループ毎に、基地局グループに属する複数のマクロ基地局３０Ａ，３０Ｂ，３０Ｃのパラメータを管理する独立管理サーバ２０Ａ，２０Ｂ，２０Ｃを備えている。これらの複数の独立管理サーバ２０Ａ，２０Ｂ，２０Ｃは、例えば移動体通信網のコアネットワークに設けられている。独立管理サーバ２０Ａ，２０Ｂ，２０Ｃはそれぞれ、提供元が同じ配下の基地局の設置及び運用を自動化するＳＯＮ（Self Organizing Network）と呼ばれる機能を有しているので、以下、「独立ＳＯＮサーバ」という。独立ＳＯＮサーバ２０Ａ，２０Ｂ，２０Ｃに備えるＳＯＮの機能としては、基地局運用開始時にパラメータを自動設定する機能（Self Configuration）、運用中にパラメータを自動最適化する機能（Self Optimization）、障害発生時に自動復旧する機能（Self Healing）、セル間の干渉を回避する機能（ＩＣＩＣ：Inter-Cell Interference Coordination）、隣接基地局情報を自動更新する機能（ＡＮＲ：Automatic Neighbor Relation）、ハンドオーバーパラメータを最適化する機能（ＭＲＯ：Mobility Robustness Optimization）等が挙げられる。
【００１１】
なお、図１における独立ＳＯＮサーバ２０Ａ，２０Ｂ，２０Ｃの符号末尾のアルファベット「Ａ」，「Ｂ」，「Ｃ」はそれぞれベンダーを識別するための記号である。マクロ基地局３０Ａ，３０Ｂ，３０Ｃの符号や、後述の小型基地局及びセルの符号についても同様である。また、独立ＳＯＮサーバ２０Ａ，２０Ｂ，２０Ｃはそれぞれ、ベンダーが同じ基地局グループに属するパラメータ管理対象の複数のマクロ基地局が配下に位置しているが、図１では図示の都合上、独立ＳＯＮサーバ２０Ａ，２０Ｂ，２０Ｃそれぞれについて１つのマクロ基地局のみが配下に位置するように図示されている。
【００１２】
マクロ基地局３０Ａ，３０Ｂ，３０Ｃは、移動体通信網において屋外に設置されている通常の半径数百ｍ乃至数ｋｍ程度の広域エリアであるマクロセルをカバーする広域の基地局であり、「マクロセル基地局」、「Ｍａｃｒｏ  ｅ−Ｎｏｄｅ  Ｂ」、「ＭｅＮＢ」等と呼ばれる場合もある。
独立ＳＯＮサーバ２０Ａ，２０Ｂ，２０Ｃそれぞれと配下のマクロ基地局３０Ａ，３０Ｂ，３０Ｃとの間は、例えば有線の通信回線で接続され、所定の通信インターフェースで通信可能になっている。マクロ基地局３０Ａ，３０Ｂ，３０Ｃはそれぞれ、回線終端装置及び専用回線を介して移動体通信網のコアネットワークに接続され、対応する独立ＳＯＮサーバ２０Ａ，２０Ｂ，２０Ｃとの間で所定の通信インターフェースにより通信可能になっている。
【００１３】
また、独立ＳＯＮサーバ２０Ａ，２０Ｂ，２０Ｃはそれぞれ、配下のマクロ基地局３０Ａ，３０Ｂ，３０Ｃの無線通信エリアであるマクロセル３００Ａ，３００Ｂ，３００Ｃ内に設置されている小型基地局３５Ａ，３５Ｃ，３５Ｄ，３５Ｅのパラメータについても管理している。小型基地局は、広域のマクロ基地局とは異なり、無線通信可能距離が数ｍ乃至数百ｍ程度であり、一般家庭、店舗、オフィス等の屋内にも設置することができる移動設置可能な基地局である。小型基地局は、移動体通信網における広域のマクロ基地局がカバーするエリアよりも小さなエリアをカバーするように設けられるため「フェムト基地局」と呼ばれたり、「Ｈｏｍｅ  ｅ−Ｎｏｄｅ  Ｂ」や「Ｈｏｍｅ  ｅＮＢ」と呼ばれたりする場合もある。小型基地局３５Ａ，３５Ｃ，３５Ｄ，３５Ｅについても、回線終端装置及びＡＤＳＬ（Asymmetric Digital Subscriber Line）回線や光回線等のブロードバンド公衆通信回線を介して移動体通信網のコアネットワークに接続され、コアネットワーク上の対応する独立ＳＯＮサーバ２０Ａ，２０Ｂ，２０Ｃとの間で所定の通信インターフェースにより通信可能になっている。
【００１４】
また、小型基地局３５Ａ，３５Ｃ，３５Ｄ，３５Ｅの無線通信エリアであるセル３５０Ａ，３５０Ｃ，３５０Ｄ，３５０Ｅはそれぞれ、その小型基地局が設置されているマクロセルと重複することになるため、マクロ基地局とその周辺に位置する小型基地局とは同じ独立ＳＯＮサーバでパラメータを集中管理することが考えられる。そこで、本実施形態では、小型基地局のベンダーと、その小型基地局のパラメータを管理する独立ＳＯＮサーバのベンダーとは必ずしも一致していない。すなわち、独立ＳＯＮサーバは、対応するマクロセル内に配置されている小型基地局であれば、その小型基地局のベンダーが自身のベンダーと同じであるか否かにかかわらず、パラメータの管理対象になっている。例えば、ベンダーＡの独立ＳＯＮサーバ２０Ａは、同じベンダーＡの小型基地局３５Ａのほか、他のベンダーＣの小型基地局３５Ｃについてもパラメータの管理を行っている。また、ベンダーＢの独立ＳＯＮサーバ２０Ｂは、他のベンダーＤ，Ｅの小型基地局３５Ｄ，Ｅについてパラメータの管理を行っている。
【００１５】
ユーザが使用するユーザ装置（ＵＥ）としての移動機（移動局）は、マクロセル３００Ａ，３００Ｂ，３００Ｃやセル３５０Ａ，３５０Ｃ，３５０Ｄ，３５０Ｅに在圏するときに、その在圏するセルに対応するマクロ基地局や小型基地局と間で所定の通信方式及びリソースを用いて無線通信することができる。
【００１６】
また、本実施形態の通信管理システムは、前記複数の独立ＳＯＮサーバ２０Ａ，２０Ｂ，２０Ｃそれぞれと通信可能な統合管理サーバとしての統合ＳＯＮサーバ１０を更に備えている。この統合ＳＯＮサーバ１０と各独立ＳＯＮサーバ２０Ａ，２０Ｂ，２０Ｃとの間についても、例えば有線の通信回線で接続され、所定の通信インターフェースで通信可能になっている。統合ＳＯＮサーバ１０は、独立ＳＯＮサーバ２０Ａ，２０Ｂ，２０Ｃを経由して、各独立ＳＯＮサーバの配下にあるすべての基地局のパラメータ（例えば、後述のＰＣＩ、ＰＵＣＣＨ、ＰＲＢ数、ＨＯオフセットなど）やＳＯＮ運用ポリシーを集中管理することができる。
【００１７】
なお、図１では、統合ＳＯＮサーバ１０に３台の独立ＳＯＮサーバ２０Ａ，２０Ｂ，２０Ｃが接続されている場合について示されているが、統合ＳＯＮサーバ１０に接続される独立ＳＯＮサーバは２台でもよいし４台以上であってもよい。
【００１８】
図２（ａ）、（ｂ）及び（ｃ）はそれぞれ、図１の通信管理システムにおける統合ＳＯＮサーバ１０、独立ＳＯＮサーバ２０（２０Ａ，２０Ｂ，２０Ｃ）及び基地局３０（３０Ａ，３０Ｂ，３０Ｃ，３５Ａ，３５Ｃ，３５Ｄ，３５Ｅ）の要部の概略構成例を示す機能ブロック図である。統合ＳＯＮサーバ１０及び独立ＳＯＮサーバ２０は、例えばＣＰＵやメモリ等を有するコンピュータ装置、コアネットワークに対する外部通信インターフェース装置などのハードウェアを用いて構成され、所定のプログラムが実行されることにより、後述のパラメータ管理などの各種処理を実行することができる。また、基地局３０は、例えばＣＰＵやメモリ等を有するコンピュータ装置、コアネットワークに対する外部通信インターフェース部、無線通信部などのハードウェアを用いて構成され、所定のプログラムが実行されることにより後述のパラメータ管理などの各種処理を実行したり、移動機との間の無線通信を行ったりすることができる。
【００１９】
図２（ａ）において、統合ＳＯＮサーバ１０は、制御部１０１とパラメータ送信部１０２とを備える。
制御部１０１は、各部を制御するとともに、複数の基地局グループに属する複数の基地局３０Ａ，３０Ｂ，３０Ｃ，３５Ａ，３５Ｃ，３５Ｄ，３５Ｅそれぞれに設定可能なパラメータの値を決定するパラメータ値決定手段として機能する。パラメータの一例として前出のＰＣＩを例に挙げると、制御部１０１は、複数のベンダーＡ、Ｂ、Ｃの基地局グループそれぞれに属する複数の基地局に割り当て可能なＰＣＩの候補値の範囲を、各独立ＳＯＮサーバ２０Ａ，２０Ｂ，２０Ｃ間で重複しないように決定する。
【００２０】
ＰＣＩは、基地局毎に割り当てられる識別番号であり、例えば各種系列（スクランブリングコード等）の生成や参照信号（ＣＲＳ：Cell-specific Reference Signal）の周波数配置などに用いられる。
【００２１】
パラメータ送信部１０２は、制御部１０１で決定したパラメータの値をパラメータ設定対象の基地局が属する基地局グループの独立ＳＯＮサーバ２０Ａ，２０Ｂ，２０Ｃに送信する送信手段として機能する。より具体的には、パラメータ送信部１０２は、複数の基地局グループそれぞれの複数の独立ＳＯＮサーバ２０Ａ，２０Ｂ，２０Ｃに、制御部１０１で決定したＰＣＩの候補値の範囲（ＰＣＩ候補テーブル）を送信する。
【００２２】
また、図２（ｂ）において、独立ＳＯＮサーバ２０は、パラメータ受信部２０１とパラメータ管理部２０２とパラメータ送信部２０３と基地局管理部２０４とを備える。
パラメータ受信部２０１は、統合ＳＯＮサーバ１０で決定されたＰＣＩの候補値の範囲（ＰＣＩ候補テーブル）を統合ＳＯＮサーバ１０から受信する。
パラメータ管理部２０２は、統合ＳＯＮサーバ１０から受信したＰＣＩの候補値の範囲（ＰＣＩ候補テーブル）に基づいて、配下の基地局に設定するＰＣＩの値を決定する。
パラメータ送信部２０３は、パラメータ管理部２０２で決定したＰＣＩの値を、パラメータ設定対象の基地局に送信する。
基地局管理部２０４は、配下の基地局の状態を管理する。
【００２３】
また、図２（ｃ）において、基地局３０は、パラメータ受信部３０１と制御部３０２とスクランブリングコード生成部３０３とを備える。更に、基地局３０は、ＳＣＨ（Synchronization Channel）生成部３０４とＣＲＳ（Cell-specific Reference Signal）生成部３０５とＰＤＳＣＨ（Physical Downlink Shared Channel）生成部３０６とＯＦＤＭ（Orthogonal Frequency Division Multiplexing）変調部３０７とＲＦ部３０８とを備える。
パラメータ受信部３０１は、上位の独立ＳＯＮサーバ２０で決定されたＰＣＩの値を独立ＳＯＮサーバ２０から受信する。
制御部３０２は、各部を制御するとともに、独立ＳＯＮサーバ２０から受信したＰＣＩの値を設定（更新）する。
スクランブリングコード生成部３０３は、ＰＤＳＣＨ生成部３０６で用いるスクランブリングコードを生成する。
ＳＣＨ生成部３０４は、移動機がセルサーチに用いるＳＣＨ（同期チャネル）の信号を生成する。
ＣＲＳ生成部３０５は、移動機に送信するＣＲＳ（参照信号）を生成する。
ＰＤＳＣＨ生成部３０６は、移動機へのデータ送信に用いられるＰＤＳＣＨ（物理ダウンリンクチャンネル）の信号を生成する。
ＯＦＤＭ変調部３０７は、ＯＦＤＭ（直交周波数分割多重）方式を用いて、ベースバンドの各種送信信号を変調する。
ＲＦ部３０８は、ＯＦＤＭ変調部３０７で変調して生成されたベースバンド信号を高周波信号に変換し、増幅した後アンテナに送る。
【００２４】
図３は、図１の通信管理システムにおけるパラメータ管理の一例を示すフローチャートである。図３は、統合ＳＯＮサーバ１０が複数の独立ＳＯＮサーバ２０Ａ，２０Ｂ，２０Ｃを経由して各基地局（マクロ基地局３０Ａ，３０Ｂ，３０Ｃ及び小型基地局３５Ａ，３５Ｃ，３５Ｄ，３５Ｅ）のＰＣＩを集中管理している例である。
図３において、まず、統合ＳＯＮサーバ１０が、各独立ＳＯＮサーバ２０Ａ，２０Ｂ，２０Ｃに割り当て可能なＰＣＩ候補値の範囲を決定する（ステップ１０１）。ＰＣＩの候補値の範囲は、例えば、次の（１）〜（３）のように決定される。
（１）独立ＳＯＮサーバ２０Ａに割り当てるＰＣＩの候補値：０〜９９
（２）独立ＳＯＮサーバ２０Ｂに割り当てるＰＣＩの候補値：１００〜１９９
（３）独立ＳＯＮサーバ２０Ｃに割り当てるＰＣＩの候補値：２００〜２９９
【００２５】
次に、統合ＳＯＮサーバ１０が、各独立ＳＯＮサーバ２０Ａ，２０Ｂ，２０ＣにＰＣＩ候補値の範囲を示すＰＣＩ候補テーブルを配信する（ステップ１０２）。
【００２６】
次に、各独立ＳＯＮサーバ２０Ａ，２０Ｂ，２０Ｃは、統合ＳＯＮサーバ１０から受信したＰＣＩ候補テーブルに基づき、配下のマクロ基地局３０Ａ，３０Ｂ，３０Ｃ及び小型基地局３５Ａ，３５Ｃ，３５Ｄ，３５Ｅそれぞれに割り当てるＰＣＩの値を決定する（ステップ１０３）。
例えば、ベンダーＣの独立ＳＯＮサーバ２０Ｃは、統合ＳＯＮサーバ１０から受信したＰＣＩの候補値の範囲が２００〜２９９であるので、配下のマクロ基地局３０Ｃに割り当てるＰＣＩとして「２００」を決定し、小型基地局３５Ｃに割り当てるＰＣＩとして「２０４」を決定し、小型基地局３５Ａに割り当てるＰＣＩとして「２５９」を決定する。
【００２７】
次に、各独立ＳＯＮサーバ２０Ａ，２０Ｂ，２０Ｃは、上記Ｓ１０３で決定したＰＣＩの値を、配下のマクロ基地局３０Ａ，３０Ｂ，３０Ｃ及び小型基地局３５Ａ，３５Ｃ，３５Ｄ，３５Ｅそれぞれに送信し、ＰＣＩ更新を指示する（ステップ１０４）。
【００２８】
〔実施形態２〕
図４は、本発明の他の実施形態に係る通信管理システムの全体構成例を示す説明図である。図４の実施形態では、複数の独立管理サーバとして、複数のマクロ基地局専用の独立ＳＯＮサーバ２０Ａ，２０Ｂ，２０Ｃと、小型基地局用専用の独立ＳＯＮサーバ（以下、「小型基地局用ＳＯＮサーバ」という。）２５とを備えている。マクロ基地局専用の独立ＳＯＮサーバ２０Ａ，２０Ｂ，２０Ｃは、マクロ基地局のベンダー（Ａ，Ｂ，Ｃ）が互いに異なる複数の基地局グループ毎に設けられている。独立ＳＯＮサーバ２０Ａ，２０Ｂ，２０Ｃはそれぞれ、同じベンダーの複数のマクロ基地局のパラメータを管理する。小型基地局用ＳＯＮサーバ２５は、ベンダーにかかわらず複数の小型基地局３５Ａ，３５Ｃ，３５Ｄ，３５Ｅのみが属する基地局グループに設けられ、すべての小型基地局のパラメータを一元的に集中管理する。なお、図４において、前述の図１と同様な部分については同じ符号を付し、説明を省略する。
【００２９】
図５（ａ）、（ｂ）及び（ｃ）はそれぞれ、図４の通信管理システムにおける統合ＳＯＮサーバ１０、独立ＳＯＮサーバ２０（２０Ａ，２０Ｂ，２０Ｃ、２５）及び基地局３０（３０Ａ，３０Ｂ，３０Ｃ，３５Ａ，３５Ｃ，３５Ｄ，３５Ｅ）の要部の概略構成例を示す機能ブロック図である。なお、図５（ａ）、（ｂ）及び（ｃ）において、前述の図２（ａ）、（ｂ）及び（ｃ）と同様な部分については同じ符号を付し、説明を省略する。
【００３０】
図５（ａ）において、統合ＳＯＮサーバ１０は、制御部１０１とマクロ基地局パラメータ送信部１０３と小型基地局パラメータ送信部１０４とを備える。
マクロ基地局パラメータ送信部１０３は、複数のマクロ基地局用の独立ＳＯＮサーバ２０Ａ，２０Ｂ，２０Ｃに、制御部１０１で決定したマクロ基地局用のＰＣＩの候補値の範囲（ＰＣＩ候補テーブル）を送信する。
小型基地局パラメータ送信部１０４は、小型基地局用ＳＯＮサーバ２５に、制御部１０１で決定した小型基地局用のＰＣＩの候補値の範囲（ＰＣＩ候補テーブル）を送信する。
【００３１】
図５（ｂ）における独立ＳＯＮサーバ２０の構成及び機能は、前述の図２（ｂ）と同様である。また、図５（ｃ）における基地局３０の構成及び機能も、前述の図２（ｃ）と同様である。
【００３２】
図６は、図４の通信管理システムにおけるパラメータ管理の一例を示すフローチャートである。図６は、統合ＳＯＮサーバ１０が複数の独立ＳＯＮサーバ２０Ａ，２０Ｂ，２０Ｃ及び小型基地局用ＳＯＮサーバ２５を経由して各基地局（マクロ基地局３０Ａ，３０Ｂ，３０Ｃ及び小型基地局３５Ａ，３５Ｃ，３５Ｄ，３５Ｅ）のＰＣＩを集中管理している例である。
図６において、まず、統合ＳＯＮサーバ１０が、独立ＳＯＮサーバ２０Ａ，２０Ｂ，２０Ｃ及び小型基地局用ＳＯＮサーバ２５に割り当て可能なＰＣＩ候補値の範囲を決定する（ステップ２０１）。ＰＣＩの候補値の範囲は、例えば、次の（１）〜（４）のように決定される。
（１）独立ＳＯＮサーバ２０Ａに割り当てるＰＣＩの候補値：０〜９９
（２）独立ＳＯＮサーバ２０Ｂに割り当てるＰＣＩの候補値：１００〜１９９
（３）独立ＳＯＮサーバ２０Ｃに割り当てるＰＣＩの候補値：２００〜２９９
（４）小型基地局用ＳＯＮサーバ２５に割り当てるＰＣＩの候補値：４００〜５０３
【００３３】
次に、統合ＳＯＮサーバ１０が、独立ＳＯＮサーバ２０Ａ，２０Ｂ，２０Ｃ及び小型基地局用ＳＯＮサーバ２５にＰＣＩ候補値の範囲を示すＰＣＩ候補テーブルを配信する（ステップ２０２）。
次に、各独立ＳＯＮサーバ２０Ａ，２０Ｂ，２０Ｃ及び小型基地局用ＳＯＮサーバ２５は、統合ＳＯＮサーバ１０から受信したＰＣＩ候補テーブルに基づき、配下のマクロ基地局３０Ａ，３０Ｂ，３０Ｃ及び小型基地局３５Ａ，３５Ｃ，３５Ｄ，３５Ｅそれぞれに割り当てるＰＣＩの値を決定する（ステップ２０３）。
例えば、ベンダーＣの独立ＳＯＮサーバ２０Ｃは、統合ＳＯＮサーバ１０から受信したＰＣＩの候補値の範囲が２００〜２９９であるので、配下のマクロ基地局３０Ｃに割り当てるＰＣＩとして「２００」を決定する。
また、小型基地局用ＳＯＮサーバ２５は、統合ＳＯＮサーバ１０から受信したＰＣＩの候補値の範囲が４００〜５０３であるので、小型基地局３５Ｃに割り当てるＰＣＩとして「５０１」を決定し、小型基地局３５Ａに割り当てるＰＣＩとして「４５９」を決定する。
【００３４】
次に、各独立ＳＯＮサーバ２０Ａ，２０Ｂ，２０Ｃは、上記Ｓ２０３で決定したＰＣＩの値を、配下のマクロ基地局３０Ａ，３０Ｂ，３０Ｃそれぞれに送信し、ＰＣＩ更新を指示する（ステップ２０４）。また、小型基地局用ＳＯＮサーバ２５は、上記Ｓ２０３で決定したＰＣＩの値を、配下の小型基地局３５Ａ，３５Ｃ，３５Ｄ，３５Ｅそれぞれに送信し、ＰＣＩ更新を指示する（ステップ２０４）。
【００３５】
なお、上記実施形態１、２で説明したＰＣＩ以外にも隣接基地局間で値が重複しないよう制御されるべきパラメータは多数存在する。例えば、ＰＲＡＣＨ（Physical Random Access Channel）関連のパラメータでは、ルートシーケンスインデックス（root Sequence Index）が挙げられる。このルートシーケンスインデックスの設定についても、本実施形態のＰＣＩと同様に行うことができる。例えば、統合ＳＯＮサーバが、各独立ＳＯＮサーバで基地局に割り当て可能なルートシーケンスインデックスの候補値の範囲を決定し、各独立ＳＯＮサーバは、配下の基地局に割り当てるルートシーケンスインデックスの値を決定する。
【００３６】
また、次の（１）〜（３）のパラメータに関しては、隣接基地局間で同一のパラメータの値が設定される。具体的には、各パラメータの値は基地局の設置状況を鑑み通信事業者が独自に決定し、統合ＳＯＮサーバで一元管理される。これらのパラメータを一元管理して各基地局に設定することにより、各基地局のＰＲＡＣＨ（物理ランダムアクセスチャネル）が使用する時間及び周波数のリソースは同一となり、かつ各ＰＲＡＣＨが使用する系列は異なる直交系列となるため、隣接基地局間のＰＲＡＣＨ間の干渉が低減される。
（１）コンフィグレーションインデックス（Configuration Index）
（２）ハイスピードフラグ（high Speed Flag）
（３）周波数オフセット（Frequency Offset）
【００３７】
〔実施形態３〕
図７は、本発明の更に他の実施形態に係る通信管理システムの全体構成例を示す説明図。図７の実施形態では、前述の図４の構成と同様に、複数の独立管理サーバとして、複数のマクロ基地局専用の独立ＳＯＮサーバ２０Ａ，２０Ｂ，２０Ｃと、小型基地局用ＳＯＮサーバ２５とを備えている。図７の実施形態では、統合ＳＯＮサーバ１０が独立ＳＯＮサーバ２０Ｃ及び小型基地局用ＳＯＮサーバ２５を介して、マクロ基地局３０Ｃのマクロセル３００Ｃと小型基地局３５Ｃのセル３５０Ｃとの間で移動機５０がハンドオーバーしているときのハンドオーバー（ＨＯ）オフセットパラメータを調整する例である。なお、図７において、前述の図１、図４と同様な部分については同じ符号を付し、説明を省略する。
【００３８】
図８（ａ）、（ｂ）及び（ｃ）はそれぞれ、図７の通信管理システムにおける統合ＳＯＮサーバ１０、独立ＳＯＮサーバ２０（２０Ａ，２０Ｂ，２０Ｃ、２５）及び基地局３０（３０Ａ，３０Ｂ，３０Ｃ，３５Ａ，３５Ｃ，３５Ｄ，３５Ｅ）の要部の概略構成例を示す機能ブロック図である。なお、図８（ａ）、（ｂ）及び（ｃ）において、前述の図２（ａ）、（ｂ）、（ｃ）及び図５（ａ）、（ｂ）、（ｃ）と同様な部分については同じ符号を付し、説明を省略する。
【００３９】
図８（ａ）において、統合ＳＯＮサーバ１０は、制御部１０１とマクロ基地局パラメータ送信部１０３と小型基地局パラメータ送信部１０４とマクロ基地局情報受信部１０５と小型基地局情報受信部１０６とを備える。
制御部１０１は、各部を制御するとともに、基地局から受信したピンポンＨＯ情報（ＨＯ頻度）に基づいて、ハンドオーバー（ＨＯ）オフセットの最適値を決定する。
マクロ基地局パラメータ送信部１０３は、複数のマクロ基地局用の独立ＳＯＮサーバ２０Ａ，２０Ｂ，２０Ｃに、制御部１０１で決定したＨＯオフセットの値を送信する。
小型基地局パラメータ送信部１０４は、小型基地局用ＳＯＮサーバ２５に、制御部１０１で決定したＨＯオフセットの値を送信する。
マクロ基地局情報受信部１０５は、マクロ基地局用の独立ＳＯＮサーバ２０Ａ，２０Ｂ，２０Ｃから、その配下の基地局３０Ａ，３０Ｂ，３０Ｃが管理するピンポンハンドオーバー（ＨＯ）情報（ＨＯ頻度）を受信する。
小型基地局情報受信部１０６は、小型基地局用ＳＯＮサーバ２５から、その配下の小型基地局３５Ａ，３５Ｃ，３５Ｄ，３５Ｅが管理するピンポンＨＯ情報（ＨＯ頻度）を受信する。
【００４０】
また、図８（ｂ）において、独立ＳＯＮサーバ２０は、パラメータ受信部２０１とパラメータ管理部２０２とパラメータ送信部２０３と基地局管理部２０４と情報受信部２０５と情報送信部２０６とを備える。
パラメータ受信部２０１は、統合ＳＯＮサーバ１０で決定されたＨＯオフセットの値を統合ＳＯＮサーバ１０から受信する。
パラメータ管理部２０２は、統合ＳＯＮサーバ１０から受信したＨＯオフセットの値及び基地局から受信したピンポンＨＯ情報（ＨＯ頻度）を管理する。
パラメータ送信部２０３は、統合ＳＯＮサーバ１０から受信したＨＯオフセットの値を、パラメータ設定対象の基地局に送信する。
情報受信部２０５は、配下の基地局から、ピンポンＨＯ情報（ＨＯ頻度）を受信する。
情報送信部２０６は、配下の基地局から受信したピンポンＨＯ情報（ＨＯ頻度）を統合ＳＯＮサーバ１０に送信する。
【００４１】
また、図８（ｃ）において、基地局３０は、パラメータ受信部３０１と制御部３０２と報知情報生成部３０９とＯＦＤＭ変調部３０７と送信無線部３０８Ｔと受信無線部３０８Ｒと送受共用器（ＤＵＰ：Duplexer）３０８ＳとＳＣ−ＦＤＭＡ（Single-Carrier Frequency-Division Multiple. Access）復調部３１０とＣＱＩ（Channel Quality Indicator）情報抽出部３１１と情報送信部３１２とを備える。
パラメータ受信部３０１は、上位の独立ＳＯＮサーバ２０からＨＯオフセットの値を受信する。
制御部３０２は、各部を制御するとともに、独立ＳＯＮサーバ２０から受信したＨＯオフセットの値を設定（更新）する。また、制御部３０２は、移動機５０から受信したＣＱＩ情報に基づいて、ハンドイン時刻及びハンドアウト時刻を記録し、ＨＯ情報としてＨＯ頻度を測定する。
報知情報生成部３０９は、移動機５０に送信する報知情報を生成する。
ＯＦＤＭ変調部３０７は、ＯＦＤＭ変調部３０７は、ＯＦＤＭ（直交周波数分割多重）方式を用いて、ベースバンドの各種送信信号を変調する。
送信無線部３０８Ｔは、ＯＦＤＭ変調部３０７で変調して生成された送信信号を高周波信号に変換し、増幅した後、送受共用器３０８Ｓに送る。
受信無線部３０８Ｒは、アンテナで受信した受信信号を増幅し、ベースバンド信号に変換した後、ＳＣ−ＦＤＭＡ復調部３１０に送る。
送受共用器３０８Ｓは、アンテナに対する送信信号及び受信信号の経路を切り替える。
ＳＣ−ＦＤＭＡ復調部３１０は、ＳＣ−ＦＤＭＡ方式で変調されている受信信号を復調して受信信号を得る。
ＣＱＩ情報抽出部３１１は、ＳＣ−ＦＤＭＡ復調部３１０で復調された受信信号からＣＱＩ情報を抽出する。
情報送信部３１２は、制御部３０２で測定されたＨＯ情報（ＨＯ頻度）を上位の独立ＳＯＮサーバ２０に送信する。
【００４２】
図９は、図７の通信管理システムにおけるパラメータ管理の一例を示すフローチャートである。図９は、統合ＳＯＮサーバ１０が独立ＳＯＮサーバ２０Ｃ及び小型基地局用ＳＯＮサーバ２５を介して、マクロ基地局３０Ｃのセル３００Ｃと小型基地局３５Ｃのセル３５０Ｃとの間で移動機５０がハンドオーバーしているときのハンドオーバー（ＨＯ）オフセットパラメータを調整する例である。
【００４３】
図９において、まず、移動機５０がハンドオーバーしているセル３００Ｃのマクロ基地局３０Ｃ及びセル３５０Ｃの小型基地局３５Ｃはそれぞれ、移動機５０から受信したＣＱＩ情報に基づいて、移動機５０のハンドイン時刻及びハンドアウト時刻を記録し、ハンドオーバー（ＨＯ）頻度を測定する（ステップ３０１）。
【００４４】
次に、上記測定したＨＯ頻度が閾値以上であった場合、マクロ基地局３０Ｃ及び小型基地局３５Ｃはそれぞれ、ハンドオーバーを頻繁に繰り返す移動機５０がいる旨を、独立ＳＯＮサーバ２０Ｃ及び小型基地局用ＳＯＮサーバ２５を経由して、統合ＳＯＮサーバ１０に報告する（ステップ３０２）。
【００４５】
次に、統合ＳＯＮサーバ１０は、上記報告に基づき、ＨＯパラメータ（ＨＯオフセット）の値を調整して更新する（ステップ３０３）。このＨＯパラメータ（ＨＯオフセット）の値の調整は例えば次のように行う。
【００４６】
表１は、移動機５０のハンドオーバーに関連して、基地局に設定可能なパラメータの一部を示している。
【表１】
0005591872.tif 000002
【００４７】
ここで、移動機５０は、次の（１）〜（３）に示すＨＯ条件を満たすセル（基地局）選択するようにハンドオーバーを行う。すなわち、セル選択の所要受信レベルＳrxlev及びセル選択の所要受信品質Ｓqualそれぞれの値が０よりも大きくなったときに、移動機５０のハンドオーバーが発生する。
ＨＯ条件：  Ｓrxlev＞０  かつ  Ｓqual＞０  ・・・（１）
Ｓrxlev＝Ｑrxlevmeas−(Ｑrxlevmin＋Ｑrxlevminoffset)−Ｐcompensation  ・・（２）
Ｓqual＝Ｑqualmeas−(Ｑqualmin＋Ｑqualminoffset)  ・・（３）
【００４８】
上記（２）及び（３）式の中にあるＨＯオフセット（Ｑrxlevminoffset，Ｑqualminoffset）の値を大きくすると、セル選択の所要受信レベルＳrxlev及びセル選択の所要受信品質Ｓqualが小さくなるので、上記（１）式によりハンドオーバーしにくくなることがわかる。従って、ピンポンハンドオーバーを繰り返している場合は、ＨＯオフセット（Ｑrxlevminoffset，Ｑqualminoffset）の値を大きくするように調整することにより、ハンドオーバーを発生しにくくすることができる。
【００４９】
次に、統合ＳＯＮサーバ１０は、上記更新した新しいＨＯパラメータ（ＨＯオフセット）を、独立ＳＯＮサーバ２０Ｃ及び小型基地局用ＳＯＮサーバ２５を経由して、マクロ基地局３０Ｃ及び小型基地局３５Ｃに送信し、ＨＯパラメータ（ＨＯオフセット）の更新を指示する（ステップ３０４）。このＨＯパラメータの更新により、移動機５０のピンポンハンドオーバーの発生を抑制することができる。
【００５０】
なお、図９の例では、ピンポンハンドオーバーの発生を抑制するためのＨＯパラメータとして、ＨＯオフセット（Ｑrxlevminoffset，Ｑqualminoffset）を調整しているが、同様な手順で、受信電界強度のヒステリシスや、ハンドオーバーのトリガータイマーを調整してもよい。
【符号の説明】
【００５１】
１０  統合ＳＯＮサーバ
２０  独立ＳＯＮサーバ
２０Ａ，２０Ｂ，２０Ｃ  独立ＳＯＮサーバ
２５  独立ＳＯＮサーバ（小型基地局用ＳＯＮサーバ）
３０  基地局
３０Ａ，３０Ｂ，３０Ｃ  マクロ基地局
３５Ａ，３５Ｃ，３５Ｄ，３５Ｅ  小型基地局
５０  移動機
３００Ａ，３００Ｂ，３００Ｃ  マクロセル
３５０Ａ，３５０Ｃ，３５０Ｄ，３５０Ｅ  小型基地局のセル
【先行技術文献】
【特許文献】
【００５２】
【特許文献１】特開２０１２−００９９９０号公報
【特許文献２】特開００１２−０８５２０１号公報
【図１】
0005591872.tif 000003
【図２】
0005591872.tif 000004
【図３】
0005591872.tif 000005
【図４】
0005591872.tif 000006
【図５】
0005591872.tif 000007
【図６】
0005591872.tif 000008
【図７】
0005591872.tif 000009
【図８】
0005591872.tif 000010
【図９】
0005591872.tif 000011